(57)【要約】【課題】縁部の厚さが異なる多くの種類のフライパン等のような調理容器でも使えて、一つの脱着式の把手で、調理容器の購買時購買費用を節減できて、調理容器を使う際の便宜性が向上させられる調理容器用脱着式把手を提供する。【解決手段】  一端に把持面１が形成された本体２と、前記本体２の上面に結合される蓋３と、前記把持面１との間に調理容器の縁部Ａが挿入されるように間隔を形成する把持部４と、が形成され、本体２の上面で一定距離の移動を自在するように形成された可動部材５と、前記可動部材５をスライディングさせながら調理容器の縁部Ａをグリップして縁部を解除させるように構成された作動手段から構成されることを特徴とする、調理容器用脱着式把手。【選択図】図１
2010017532.tif 000002
【特許請求の範囲】
【請求項１】
一端に把持面が形成された本体と、
前記本体の上面に結合される蓋と、
前記把持面との間に調理容器の縁部が挿入されるように間隔を形成する把持部が形成され、本体の上面で所定の距離の移動を自在するように形成された可動部材と、
前記可動部材をスライディングさせながら調理容器の縁部をグリップして縁部を解除させるように構成された作動手段と、
から構成されることを特徴とする、調理容器用脱着式把手。
【請求項２】
前記作動手段は、
本体に形成されて本体の上下部を貫いて形成した収容部と、
前記収容部の一端にヒンジで回転が可能に結合されていて手で押すことができるように構成された作動レバーと、
前記作動レバーと可動部材との間に設置され、作動レバーの作動時可動部材を後進させるように構成されたスライディング手段と、
前記可動部材が後進された状態で再び可動部材を前進させるように本体と可動部材との後端の間に設置されたリターンスプリングと、
前記作動レバーが押されて可動部材によって調理容器の縁部が固定された状態を維持するか当該固定された状態を解除することができるように構成された解除手段と、
から構成されることを特徴とする、請求項１に記載の調理容器用脱着式把手。
【請求項３】
前記スライディング手段は、
可動部材の底面に突出形成されたローラーと、
前記ローラーが掛かって可動部材が後進できるように掛け面が形成され、調節手段によって移動を自在しながらローラーの位置を前後進させるように作動レバーに設置された作動部材と、
から構成されることを特徴とする、請求項２に記載の調理容器用脱着式把手。
【請求項４】
前記調節手段は、
作動レバーに形成されたガイド溝と、
前記ガイド溝に挿入されて作動部材の移動をガイドするように作動部材に形成されたガイド板と、
前記作動レバーの先端に固定されたナットとねじ結合されて回転する際作動部材を押しながら前記リターンスプリングの弾性により作動部材の位置が調節されるように設置された間隔調節ボルトと、
から構成されることを特徴とする、請求項３に記載の調理用器用の脱着式の把手。
【請求項５】
前記解除手段は、
作動レバーの先端に形成された掛け段と、
前記掛け段に掛かるか又は解除される掛け部が形成され、蓋の貫通孔にヒンジ軸で結合されて回転を自在するように構成された解除ボタンと、
前記解除ボタンの掛け部がいつも掛け段に掛かるように弾性を付与するスプリングと、
から構成されることを特徴とする、請求項２に記載の調理容器用脱着式把手。
【請求項６】
前記作動レバーが所定の角度以上開かないように本体の内側に形成された羽形の掛け段と、
前記作動レバーが開かれた際に前記羽形の掛け段に掛かるように作動レバーに形成された羽部と、
を含んでいることを特徴とする、請求項２に記載の調理容器用脱着式把手。
【請求項７】
前記把持部に形成され、容器を固定する固定力を増大させるために摩擦力が大きい材質で構成される摩擦手段をさらに含んでいることを特徴とする、請求項１〜６のうちのいずれか１項に記載の調理容器用脱着式把手。
【請求項８】
前記摩擦手段は、
把持部が挿入されるように形成されたシリコーン材質の摩擦部材と、
前記摩擦部材が易しく抜けないように把持部の底面に形成されたストップ孔及びここに挟まれるように摩擦部材の内部に突出形成されたストップ突起と、
から構成されることを特徴とする、請求項７に記載の調理容器用脱着式把手。
【発明の詳細な説明】
【技術分野】
【０００１】
本発明は調理容器用脱着式把手に関する。
【背景技術】
【０００２】
一般的に、各種の調理のために使われるファンや鍋等のような調理容器には把手が結合されていて、上記ファンや鍋が熱い場合、把手を持って調理したり運んだりする。
【０００３】
上記把手は調理容器のフランジ部分である縁部に少なくとも一つ以上設置され、上記把手はファンや鍋とは別に作製されてリベット、ボルト等で結合される。
【０００４】
このように把手を調理容器にリベットまたはボルト等で結合させて一体化すると、調理容器から突き出るので、保管、包装、移動等が非常に不便になり、調理容器の把手を脱着式で構成した把手が開発された。
【０００５】
すなわち、調理したり、運んだりする場合には調理容器に把手を結合して、一方、保管等をする場合には把手を調理容器から分離することで保管をしやすくすることができる。
【０００６】
上記の脱着式の把手は、把手の前面にファンの縁部に結合及び分離させることができ、フライパン等のような調理容器は、縁部の厚さが製造元または調理容器の種類によって異なるので、脱着式の把手を調理容器の縁部の厚さに合うようにしなければならない。
【０００７】
すなわち、脱着式の把手は、縁部の厚さが合う場合のみ使うことができるので、縁部の厚さが違う会社の製品または同じ会社の製品でも種類が異なる場合にはそれに合う別途の脱着式の把手を具備して使わなければならない。
【発明の概要】
【発明が解決しようとする課題】
【０００８】
しかし、上述のような縁部の厚さが相異する調理容器、例えば、フライパンに脱着式の把手を使うために多くの種類の脱着式の把手を準備することは、費用がかかってしまっていた。
【０００９】
また、調理容器を使う際、色々な種類の脱着式の把手から調理容器毎に適した把手を捜さなければならないので、脱着式の把手を使うことは不便であった。
【００１０】
そこで、本発明は、上記問題に鑑みてなされたものであり、本発明の目的とするところは、縁部の厚さが異なる多くの種類のフライパン等のような調理容器でも使えて、一つの脱着式の把手で、調理容器の購買時購買費用を節減できて、調理容器を使う際の便宜性が向上させられる調理容器用脱着式把手を提供することにある。
【課題を解決するための手段】
【００１１】
上記課題を解決するために、本発明のある観点によれば、一端に把持面が形成された本体と、上記本体の上面に結合される蓋と、上記把持面との間に調理容器の縁部が挿入されるように間隔を形成する把持部が形成され、本体の上面で所定の距離の移動を自在するように形成された可動部材と、上記可動部材をスライディングさせながら調理容器の縁部をグリップして縁部を解除させるように構成された作動手段と、から構成されることを特徴とする、調理容器用脱着式把手が提供される。
【００１２】
上記作動手段は、本体に形成されて本体の上下部を貫いて形成した収容部と、上記収容部の一端にヒンジで回転が可能に結合されていて手で押すことができるように構成された作動レバーと、上記作動レバーと可動部材との間に設置され、作動レバーの作動時可動部材を後進させるように構成されたスライディング手段と、上記可動部材が後進された状態で再び可動部材を前進させるように本体と可動部材との後端の間に設置されたリターンスプリングと、上記作動レバーが押されて可動部材によって調理容器の縁部が固定された状態を維持するか当該固定された状態を解除することができるように構成された解除手段と、から構成されてもよい。
【００１３】
上記スライディング手段は、可動部材の底面に突出形成されたローラーと、上記ローラーが掛かって可動部材が後進できるように掛け面が形成され、調節手段によって移動を自在しながらローラーの位置を前後進させるように作動レバーに設置された作動部材と、
から構成されてもよい
【００１４】
上記調節手段は、作動レバーに形成されたガイド溝と、上記ガイド溝に挿入されて作動部材の移動をガイドするように作動部材に形成されたガイド板と、上記作動レバーの先端に固定されたナットとねじ結合されて回転する際作動部材を押しながら上記リターンスプリングの弾性により作動部材の位置が調節されるように設置された間隔調節ボルトと、から構成されてもよい。
【００１５】
上記解除手段は、作動レバーの先端に形成された掛け段と、上記掛け段に掛かるか又は解除される掛け部が形成され、蓋の貫通孔にヒンジ軸で結合されて回転を自在するように構成された解除ボタンと、上記解除ボタンの掛け部がいつも掛け段に掛かるように弾性を付与するスプリングと、から構成されてもよい。
【００１６】
上記作動レバーが所定の角度以上開かないように本体の内側に形成された羽形の掛け段と、上記作動レバーが開かれた際に上記羽形の掛け段に掛かるように作動レバーに形成された羽部と、を含んでいてもよい。
【００１７】
上記調理容器用脱着式は、把手上記把持部に形成され、容器を固定する固定力を増大させるために摩擦力が大きい材質で構成される摩擦手段をさらに含んでいてもよい。
【００１８】
上記摩擦手段は、把持部が挿入されるように形成されたシリコーン材質の摩擦部材と、上記摩擦部材が易しく抜けないように把持部の底面に形成されたストップ孔及びここに挟まれるように摩擦部材の内部に突出形成されたストップ突起と、から構成されてもよい。
【発明の効果】
【００１９】
以上説明したように本発明によれば、縁部の厚さが異なる多くの種類のフライパン等のような調理容器でも使えて、一つの脱着式の把手で、調理容器の購買時購買費用を節減できて、調理容器を使う際の便宜性が向上させられる。
【図面の簡単な説明】
【００２０】
【図１】本発明の第１の実施形態にかかる調理容器用脱着式把手を示した分解斜視図である
【図２】本発明の第１の実施形態にかかる調理容器用脱着式把手において、掛け段と羽部を示した説明図である。
【図３】本発明の第１の実施形態にかかる調理容器用脱着式把手において、本体と作動レバーと掛け段と羽部を示した断面図である。
【図４】本発明の第１の実施形態にかかる調理容器用脱着式把手において、作動レバーを押して調理容器の縁部を固定した状態を示した断面図である。
【図５】本発明の第１の実施形態にかかる調理容器用脱着式把手において、作動レバーを解除して容器の縁部を解除した状態を示した断面図である。
【図６】本発明の第１の実施形態にかかる調理容器用脱着式把手において、間隔調節ボルトで把持部と把持面との間の間隔を調節する状態を示した断面図である。
【発明を実施するための形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
図１は、本実施形態に係る調理容器用脱着式把手を図示した分解斜視図である。図２は、上記調理容器用脱着式把手において、掛け段と羽部を示した説明図である。また、図３は、上記調理容器用脱着式把手において、本体と作動レバーと掛け段と羽部を示した断面図である。また、図４は、本実施形態に係る調理容器用脱着式把手を図示した組み立ての断面図である。図１又は図４に示すように、一端に把持面１が形成された本体２と、上記本体２の上面に結合される蓋３と、上記把持面１との間に調理容器の縁部Ａが挿入されるように間隔を形成する把持部４が形成されることと同時に本体２の上面で一定距離の移動を自在するように形成される可動部材５と、上記可動部材５をスライディングさせながら調理容器の縁部Ａをグリップしたり、縁部Ａを解除したりするように構成された作動手段から構成されている。
【００２３】
すなわち、上記作動手段をユーザが動かせば、これによって可動部材５が前後進しながら調理容器の縁部Ａをグリップして固定したりまたは縁部を解除したりすることができる。
【００２４】
上記可動部材５は、本体２の上面に形成されているガイド溝６に乗って移動するように構成される。
【００２５】
上記作動手段は、本体２に形成されて本体２の上下部を貫通して形成した収容部７と、上記収容部７の一端にヒンジ軸８で回転ができるように結合されており、手で押すことができるように構成された作動レバー９と、上記作動レバー９と可動部材５との間に設置され、作動レバー９の作動した際、可動部材５を後進させるように構成されたスライディング手段と、上記可動部材５が後進された状態で再び可動部材５を前進させるように本体２と可動部材５の後端との間に設置されたリターンスプリング１０と、上記作動レバー９が押されて可動部材５によって調理容器の縁部Ａが固定された状態を維持するかこれを解除させられるように構成された解除手段から構成される。
【００２６】
上記スライディング手段は、可動部材５の底面に突き出されて形成されたローラー１１と、上記ローラー１１がかかって可動部材５が後進できるように掛け面１２が形成されることと同時に調節手段によって移動を自在しながらローラー１１の位置を前後進させるように作動レバー９に設置された作動部材１３から構成される。
【００２７】
すなわち、上記作動レバー９がヒンジ軸８を中心に回転するようになると同時に作動部材１３がローラー１１を前後進させることで、ローラー１１が設置された可動部材５が前後進されながら可動部材５の把持部４が調理容器の縁部Ａを固定したり解除したりすることができる。
【００２８】
上記調節手段は、作動部材１３の位置を調節することでローラー１１が設置された可動部材５の左右移動位置（行程）を調節するように構成したこととして、結果的に作動レバー９が作動する際、可動部材５の把持部４と本体２の把持面１との間の間隔を調節できる。
【００２９】
上記調節手段は作動レバー９に形成されたガイド溝１４と、上記ガイド溝１４に挿入されて作動部材１３の移動をガイドするように作動部材１３に形成されたガイド板１５と、上記作動レバー９の先端に固定されたナット１６とねじ結合されて回転した際、作動部材１３を押しながらリターンスプリング１０の弾性により作動部材１３の位置が調節されるように設置された間隔調節ボルト１７から構成される。
【００３０】
また、上記間隔調節ボルト１７と作動部材１３との間には、補助スプリング１８が設置されて間隔調節ボルト１７による作動部材１３の移動した際、弾性によって支持されるようにして安定した作動を維持する。
【００３１】
上記解除手段は、作動レバー９の先端に形成された掛け段１９と、上記掛け段１９に掛ったり解除されたりするように掛け部２０が形成され、蓋３の貫通孔２１にヒンジ軸２２で結合されて回転を自在するように構成された解除ボタン２３と、上記解除ボタン２３の掛け部２０がいつも掛け段１９にかかるように弾性を認可するスプリング２４から構成される。
【００３２】
また、上記把持部４には、容器を固定する固定力を増大させるために摩擦力が大きい材質で摩擦手段が形成されているところ、これは、把持部４が挿入されるように形成されたシリコーン材質の摩擦部材２５と、上記摩擦部材２５が易しく抜けないように把持部４の底面に形成されたストップ孔２６及びここに挟まれるように摩擦部材２５の内部に突出して形成されたストップ突起２７が形成されている。
【００３３】
上記把持部４の側面にも、一つ以上の楔形の溝２８が形成されてここに摩擦部材２５の縦断が掛かるように形成されている。
【００３４】
特に、上記作動レバー９が所定の角度以上開かないように本体２の内側に羽形の掛け段２９が形成されていて、作動レバー９が開いた際に掛け段２９が掛かるように羽部３０が作動レバー９に形成されている。
【００３５】
図２に示すように、掛け段２９は、２つ形成することができ、２つの掛け段２９の上側に掛けられるように羽部３０が２つ形成されて、作動レバー９が下方に回転するとき、羽部３０が掛け段２９の上側に掛かって所定の角度以上回転しないようにすることができる。図３を参照しながら、より詳細に説明すると、作動レバー９が所定の角度回転することによって、掛け段２９に羽部３０が接触する。そのため、作動レバー９は、上記角度以上回転することはできなくなる。
【００３６】
上記本体２の把持面１には、シリコーン材質のパッドＰが固定されて、調理容器の縁部をより大きな摩擦力で固定できるように構成されているところ、パッドＰの一側面に形成された挿入突起３１が把持面１に形成された多数の挿入孔３２に押し込まれながら固定される。
【００３７】
また、上記本体２の底面の先端に、蓋３３が結合されているところ、これは本体２の破損防止、熱による変形等を防止して、汚染されたり破損されたりした際に、容易に交換することができるように結合構成されている。
【００３８】
このような本実施形態の作用効果を説明すれば、脱着式の把手がフライパン等のような調理容器と分離された状態は図５に図示されたように作動レバー９が押されず本体２から下の部分へ突出した状態になる。
【００３９】
作動レバー９が下に向いた状態であれば、ローラー１１及び可動部材５がリターンスプリング１０の弾性によって図面から右側に押されるようになって、可動部材５の把持部４が本体２の把持面１から離隔された状態を維持するようになる。
【００４０】
この状態で、脱着式の把手でフライパン等のような調理容器を固定するためには、可動部材５の把持部４と本体２の把持面１との間にフライパン等のような調理容器の縁部Ａを位置させた後、図４に図示されたように作動レバー９を押すようになる。
【００４１】
作動レバー９が押されると、ヒンジ軸８を中心に反時計の方向へ回転されて、上記作動レバー９が回転時作動レバー９に結合された作動部材１３が図面から左側にローラー１１を押すようになって上記ローラー１１が結合されている可動部材５がリターンスプリング１０の弾性に対して左側へ押されることになる。
【００４２】
可動部材５が左側へ押さると、把持面１と把持部４との間で調理容器の縁部Ａが堅固に固定されることで、調理容器が脱着式の把手によって固定される。
【００４３】
脱着式の把手が調理容器に固定された状態で使っている途中調理容器の使用が終われば、脱着式の把手を分離させて調理容器と別に保管するようになるところ、図５に図示されているようにこのために解除ボタン２３を押して掛け部２０が作動レバー９の掛け段１９から分離されるようにする。
【００４４】
作動レバー９の掛け段１９が解除ボタン２３の掛け部２０から分離されると、リターンスプリング１０の弾性により可動部材５が図面から右側に移動するようになって、これと同時にローラー１１に密着されている作動部材１３が押されながら、作動レバー９は時計の方向へ回転をするようになる。
【００４５】
作動レバー９が時計の方向へ回転し、可動部材５が右側に移動するので、調理容器の縁部Ａから脱着式の把手が分離されられるようになるところ、このように把手を分離させて他の場所に保管することができる。
【００４６】
ここで、縁部の厚さが違う調理容器に脱着式の把手を結合させるためには、例えば、調理容器の縁部の厚さがもっと厚い状態なら、  図６に図示されているように間隔調節ボルト１７を解いて、可動部材５が図面の右側にもっと突出されるように調節するようになる。
【００４７】
すなわち、間隔調節ボルト１７を解くと、作動部材１３がローラー１１及びリターンスプリング１０の弾性により右側へ押されるようになることと同時に可動部材５が図面の右側へもっと押し出されるようになる。
【００４８】
可動部材５が右側にもっと突き出されると、決まった位置で間隔調節ボルト１７の調節を中止させて、脱着式の把手を附着させる調理容器の縁部の厚さに合うか確認するようになるところ、間隔調節ボルト１７を調節した状態で図４のように調節レバー９を押すようになれば、ローラー１１と可動部材５とが左側へ押されながら調理容器の縁部Ａを固定するようになる。
【００４９】
この際、上記可動部材５の位置は、図５の状態に比べてもっと右側に突き出されているので、作動レバー９が押されている状態でも本体２の把持面１と可動部材５の把持部４との距離Ｄがもっと大きくなるので、厚さがもっと厚い調理容器の縁部を固定することができる。
【００５０】
すなわち、間隔調節ボルト１７によって移動された距離だけ本体２の把持面１と可動部材５の把持部４との距離Ｄが変化されるようになって、調節レバー９による可動部材５の移動距離は等しいので、結果的に把持面１と可動部材５の把持部４との距離が可変されながら、縁部Ａの厚さが違う調理容器を固定させることができるようになる。
【００５１】
本体２の把持面１と可動部材５の把持部４との距離を容易に可変させられるようになれば、使用者が間隔調節ボルト１７を調節することだけでも、簡単に厚さが違う調理容器に脱着式の把手を固定したり分離したりすることができるようになって、脱着式の把手を使うことが非常に単純になる。
【００５２】
以上説明したように本発明によれば、脱着式の把手をフライパン等のような調理容器に結合して使う際、縁部の厚さが異なる調理容器でも容易に脱着式の把手を使えることだけではなく脱着式の把手の構成を単純化することができる。
【００５３】
本発明は調理容器用脱着式把手に関し、より詳細にはファンや鍋等のような調理容器で縁部の厚さにかかわらず脱着が可能するように構成された調理容器用脱着式把手に関する。
【００５４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００５５】
１    把持面
２    本体
３    蓋
４    把持部
５    可動部材
６    ガイド溝
７    収容部
８    ヒンジ軸
９    作動レバー
１０    リターンスプリング
１１    ローラー
１２    掛け面
１３    作動部材
１４    ガイド溝
１５    ガイド板
１６    ナット
１７    間隔調節ボルト
１８    補助スプリング
１９    掛け段
２０    掛け部
２１    貫通孔
２２    ヒンジ軸
２３    解除ボタン
２４    スプリング
２５    摩擦部材
２６    ストップ孔
２７    ストップ突起
２８    楔形の溝
２９    羽形掛け段
３０    羽部
３１    挿入突起
３２    挿入孔
３３    蓋
Ａ    縁部
Ｄ    距離
Ｐ    パッド
【図１】
2010017532.tif 000003
【図２】
2010017532.tif 000004
【図３】
2010017532.tif 000005
【図４】
2010017532.tif 000006
【図５】
2010017532.tif 000007
【図６】
2010017532.tif 000008